(57)【特許請求の範囲】
【請求項１】
ケーシングと該ケーシングに設けられ鏡板に渦巻状のラップ部が立設された固定スクロールとからなる固定側部材と、前記ケーシングに回転可能に設けられた駆動軸と、該駆動軸の先端側に旋回可能に設けられ、鏡板に前記固定スクロールのラップ部と重なり合って複数の圧縮室を画成する渦巻状のラップ部が立設された旋回スクロールとを備えてなるスクロール圧縮機において、
前記旋回スクロールの外周側には、前記固定スクロールとの対向面側に開口する環状のシール部材取付溝を設け、
該シール部材取付溝内には、前記固定側部材との間で前記圧縮室を外気に対して遮断するため、前記シール部材取付溝の底面に面接触した固定側の環状板部と、前記シール部材取付溝の開口側に設けられた摺動側の環状板部と、前記固定側の環状板部と前記摺動側の環状板部とを連結する連結筒部と、前記摺動側の環状板部の前記連結筒部よりも内径側に設けられ、前記固定スクロールと摺動する摺動リップ部と、前記連結筒部よりも外径側に環状の補助シール取付溝とを有しているシール部材を設け、
前記補助シール取付溝内には前記シール部材取付溝との間に締代をもって接触する補助シールを設ける構成としたことを特徴とするスクロール圧縮機。
【請求項２】
前記シール部材は、前記摺動リップ部が固定スクロールを押圧するスラスト方向と、補助シールが補助シール取付溝を押圧するラジアル方向とのなす角度がほぼ９０度となるように構成してなる請求項１に記載のスクロール圧縮機。
【発明の詳細な説明】
【０００１】
【発明の属する技術分野】
本発明は、気体を圧縮するのに用いるスクロール圧縮機に関し、例えば都市ガス配管等に接続して気体の圧力を昇圧するブースタ等に用いて好適なスクロール圧縮機に関する。
【０００２】
【従来の技術】
一般に、スクロール圧縮機は、ケーシングと、該ケーシング内に設けられ、鏡板に渦巻状のラップ部が立設された固定スクロールと、前記ケーシングに回転可能に設けられた駆動軸と、該駆動軸の先端側に旋回可能に設けられ、鏡板に前記固定スクロールのラップ部と重なり合って複数の圧縮室を画成する渦巻状のラップ部が立設され、吸込口から吐出口に向けて圧縮気体を移送する旋回スクロールとによって構成されている。
【０００３】
この種の従来技術によるスクロール圧縮機では、外部から駆動軸を回転駆動して旋回スクロールを固定スクロールに対して一定の偏心寸法をもって旋回運動させる。これにより、固定スクロールの外周側に設けた吸込口から気体を吸込みつつ、この気体を固定スクロールのラップ部と旋回スクロールのラップ部との間の各圧縮室内で順次圧縮し、固定スクロールの中心部に設けた吐出口から圧縮気体を外部に向けて吐出するようになっている。
【０００４】
【発明が解決しようとする課題】
ところで、上述した従来技術によるスクロール圧縮機のうち、空調、冷媒用等の冷媒を圧縮する冷媒圧縮機は、吸込口側の冷媒（気体）の圧力が大気圧よりも高いので、吸込口側の冷媒が固定スクロールの外周側と旋回スクロールの外周側との間を介して外部に漏洩することがある。このため、従来技術による冷媒圧縮機では、駆動軸を回転駆動する電動機と共に圧縮機全体を密閉容器内に収納した密閉型圧縮機が広く用いられていた。
【０００５】
しかし、密閉型圧縮機の場合、密閉容器内を外気と遮断する構成となっていたから、圧縮動作時に加熱する圧縮機を冷却するためには、冷媒自体を用いた冷却方法か、別途潤滑油を用いた冷却方法を用いなければならなかった。
【０００６】
この場合、スクロール圧縮機を冷媒圧縮機に用いるときには問題は生じないものの、都市ガス等のように熱容量の小さい気体の圧縮に用いるときには、気体による冷却能力が不足し、圧縮機を十分に冷却することができないという問題があった。
【０００７】
一方、潤滑油を用いて圧縮機を冷却したときには、潤滑油と圧縮気体との分離が難しく、例えば都市ガスのブースタ等のように圧縮気体自体を使用する用途には適用が難しかった。また、潤滑油を用いない無給油式の圧縮機では、潤滑油を用いた冷却方法は適用できないという問題があった。
【０００８】
本発明は上述した従来技術の問題に鑑みなされたもので、大気圧よりも高圧な気体を圧縮するときでも、気体の漏洩を防止できるようにしたスクロール圧縮機を提供することを目的としている。
【０００９】
【課題を解決するための手段】
上述した課題を解決するために本発明によるスクロール圧縮機は、ケーシングと該ケーシングに設けられ鏡板に渦巻状のラップ部が立設された固定スクロールとからなる固定側部材と、前記ケーシングに回転可能に設けられた駆動軸と、該駆動軸の先端側に旋回可能に設けられ、鏡板に前記固定スクロールのラップ部と重なり合って複数の圧縮室を画成する渦巻状のラップ部が立設された旋回スクロールとを備えている。
【００１０】
そして、請求項１の発明が採用する構成の特徴は、前記旋回スクロールの外周側には、固定スクロールとの対向面側に開口する環状のシール部材取付溝を設け、該シール部材取付溝内には、前記固定側部材との間で前記圧縮室を外気に対して遮断するため、前記シール部材取付溝の底面に面接触した固定側の環状板部と、前記シール部材取付溝の開口側に設けられた摺動側の環状板部と、前記固定側の環状板部と前記摺動側の環状板部とを連結する連結筒部と、前記摺動側の環状板部の前記連結筒部よりも内径側に設けられ、前記固定スクロールと摺動する摺動リップ部と、前記連結筒部よりも外径側に環状の補助シール取付溝とを有しているシール部材を設け、前記補助シール取付溝内には前記シール部材取付溝との間に締代をもって接触する補助シールを設ける構成としたことにある。
【００１１】
このように構成したことにより、固定側の環状板部、摺動側の環状板部、連結筒部、摺動リップ部および環状の補助シール取付溝とを有したシール部材の摺動リップ部を固定スクロールに弾性的に当接させ、固定スクロールと旋回スクロールとの間を気密にシールすることができる。また、シール部材の補助シール取付溝内にはシール部材取付溝との間に締代をもって接触する補助シールを設けているから、シール部材とシール部材取付溝との間を補助シールにより気密にシールすることができる。これにより、圧縮室内で圧縮された気体がシール部材を介して外部に漏洩するのを防止することができる。
【００１２】
また、請求項２の発明は、シール部材は、摺動リップ部が固定スクロールを押圧するスラスト方向と、補助シールが補助シール取付溝を押圧するラジアル方向とのなす角度がほぼ９０度となるように構成している。このように構成したことにより、補助シールが補助シール取付溝を押圧するラジアル方向の力が、摺動リップ部を固定スクロールに押圧するスラスト方向の力に加わることを防止でき、摺動リップ部を固定スクロールに押圧するスラスト方向の力が増大するのを抑えることができる。
【００１３】
【発明の実施の形態】
以下、本発明の実施の形態によるスクロール圧縮機として都市ガス（気体）のガス配管に接続されるスクロールガス圧縮機を例に挙げ、添付図面に従って詳細に説明する。
【００１４】
ここで、図１および図２は本発明の第１の実施の形態を示し、１はスクロールガス圧縮機の外枠を形成するケーシングで、該ケーシング１は、後述の固定スクロール２と共に固定側部材を構成し、大径部１Ａと小径部１Ｂとからなる段付き筒状に形成されている。
【００１５】
２はケーシング１の大径部１Ａに固着された固定スクロールで、該固定スクロール２は、その中心が後述する駆動軸３の軸線と一致するように配設された円板状の鏡板２Ａと、該鏡板２Ａの表面に立設された渦巻状のラップ部２Ｂと、該ラップ部２Ｂを外側から取囲むように鏡板２Ａの径方向外側に設けられた外縁部２Ｃと、該外縁部２Ｃから中心側に向けて板状に折曲って形成されたリング受け２Ｄとによって大略構成され、鏡板２Ａの背面には多数の放熱フィン２Ｅが設けられている。そして、固定スクロール２は、外縁部２Ｃがケーシング１の大径部１Ａ先端側に一体に取付けられている。
【００１６】
３は先端側にクランク３Ａが突設された駆動軸で、該駆動軸３は、ケーシング１の小径部１Ｂ内に軸受３Ｂ，３Ｃを介して回転可能に軸支されている。また、駆動軸３は、その基端側に後述のプーリ２１が設けられ、軸線を中心に回転駆動する。一方、クランク３Ａの軸線は、駆動軸３の軸線に対して所定寸法だけ偏心している。
【００１７】
４は駆動軸３の先端側に固着されたバランスウエイトで、該バランスウエイト４は、後述する旋回スクロール５の旋回動作に対して駆動軸３全体の回転バランスをとるものである。
【００１８】
５は固定スクロール２と対向してケーシング１内に旋回可能に設けられた旋回スクロールで、該旋回スクロール５は、旋回スクロール本体６と背面プレート７とから構成され、該旋回スクロール５は後述の旋回軸受９を用いてクランク３Ａに旋回可能に支持されている。
【００１９】
ここで、旋回スクロール本体６は、固定スクロール２と同様に鏡板６Ａと渦巻状のラップ部６Ｂとによって大略構成され、鏡板６Ａには多数の放熱フィン６Ｃが設けられている。また、この旋回スクロール本体６の鏡板６Ａ外周側には後述のシール取付部材１５が取付けられる環状段部６Ｄが設けられている。そして、旋回スクロール５は、ラップ部６Ｂが固定スクロール２のラップ部２Ｂと所定角度（例えば１８０度）だけずらして重なり合うように配設され、両者のラップ部２Ｂ，６Ｂ間には複数の圧縮室８，８，…が画成されている。
【００２０】
また、背面プレート７は、旋回スクロール本体６の各放熱フィン６Ｃ先端に固着され、その中央部には、ボス部７Ａが一体形成されている。
【００２１】
９は背面プレート７のボス部７Ａ内に設けられた旋回軸受で、該旋回軸受９は、その内周側に駆動軸３のクランク３Ａが挿入されている。そして、旋回軸受９は、駆動軸３のクランク３Ａに対して旋回スクロール５を旋回可能に支持する構成となっている。
【００２２】
１０，１０，…はケーシング１と旋回スクロール５の背面プレート７との間に複数配設された自転防止機構としての補助クランク（１個のみ図示）で、該各補助クランク１０は、旋回スクロール５の旋回動作時に該旋回スクロール５の自転を防止するものである。
【００２３】
１１，１１は固定スクロール２の外縁側に２箇所形成された吸込口で、該各吸込口１１は、固定スクロール２の外縁側に画成された吸込室１２内に開口すると共に、後述の流入配管１４が接続されている。また、吸込室１２は、複数の圧縮室８のうち最外周側の圧縮室８に連通している。これにより、圧縮運転時に流入配管１４から供給されたガスは、吸込口１１、吸込室１２を通過して最外周側の圧縮室８に流入する。
【００２４】
１３は固定スクロール２の鏡板２Ａ中心部に穿設された吐出口で、該吐出口１３は、最内周側の圧縮室８内に開口し、圧縮したガスを外部に吐出するものである。
【００２５】
１４はＵ字状ないしコ字状をなした流入配管で、該流入配管１４は、中央部分に流入口１４Ａを有すると共に、該流入口１４Ａから分岐した２つの流出口１４Ｂ，１４Ｂを有し、該各流出口１４Ｂの先端は固定スクロール２の各吸込口１１に接続されるフランジ１４Ｃ，１４Ｃとなっている。そして、流入配管１４は、流入口１４Ａから流入したガスを各吸込口１１を通じて吸込室１２内に供給するものである。
【００２６】
１５は旋回スクロール５の外周側に設けられたシール取付部材で、該シール取付部材１５は、金属材料を用いて断面コ字状をなす環状体として形成され、旋回スクロール５の環状段部６Ｄに圧入等により嵌合して取付けられている。そして、シール取付部材１５には、固定スクロール２のリング受け２Ｄとの対向面側に位置してシール部材取付溝１５Ａが開口して設けられている。
【００２７】
１６はシール取付部材１５のシール部材取付溝１５Ａ内に設けられたシール部材で、該シール部材１６は、固定スクロール２と旋回スクロール５との間を気密にシールするため、周方向に継ぎ目がないリング状に形成されている。そして、シール部材１６は、樹脂材料を用いることにより内径側が開口した断面略コ字状の弾性体からなるシールリング１７および後述のばね部材１８によって構成されている。
【００２８】
ここで、シールリング１７は、シール取付部材１５のシール部材取付溝１５Ａ底面に衝合状態で面接触した平坦面１７Ａ1を有する固定側の環状板部１７Ａと、シール部材取付溝１５Ａの開口側に設けられた摺動側の環状板部１７Ｂと、環状板部１７Ａと環状板部１７Ｂとの間を連結した連結筒部１７Ｃと、該連結筒部１７Ｃの外径側に設けられた環状凹溝からなる補助シール取付溝１７Ｄとにより構成されている。
【００２９】
また、シールリング１７の環状板部１７Ｂには、その内径端側に位置して摺動リップ部１７Ｂ1が突設されている。そして、この摺動リップ部１７Ｂ1は、シール部材取付溝１５Ａから突出して固定スクロール２に設けられた後述の摺接リング２０に摺動するものである。
【００３０】
１８はシールリング１７の内周側に設けられたばね部材で、該ばね部材１８は、断面コ字状の金属材料（例えば、ステンレス材料）からなり、環状板部１７Ａ，１７Ｂ間に嵌着して取付けられている。そして、ばね部材１８は、環状板部１７Ａ，１７Ｂを拡開させるように、平坦面１７Ａ1、摺動リップ部１７Ｂ1をそれぞれシール部材取付溝１５Ａ、摺接リング２０に弾性的に押圧している。
【００３１】
１９はシールリング１７の補助シール取付溝１７Ｄ内に設けられた補助シールで、該補助シール１９は例えばＯリングからなり、補助シール取付溝１７Ｄ内に弾性変形した状態で嵌合している。そして、この補助シール１９は、シール部材取付溝１５Ａの周壁面に締代をもって接触し、シールリング１７とシール部材取付溝１５Ａとの間を気密にシールしている。
【００３２】
ここで、補助シール１９がシールリング１７の補助シール取付溝１７Ｄを押圧するラジアル方向（図２中の矢示Ａ方向）と摺動リップ部１７Ｂ1が固定スクロール２に設けられた後述の摺接リング２０を押圧するスラスト方向（図２中の矢示Ｂ方向）とのなす角度はほぼ９０度になっている。
【００３３】
２０は固定スクロール２のリング受け２Ｄに設けられた摺接リングで、該摺接リング２０は、ステンレス等の金属材料によって平板なリング状に形成され、旋回スクロール５の鏡板６Ａとの間に配設され、シール部材１６の摺動リップ部１７Ｂ1が摺接している。
【００３４】
なお、２１は駆動軸３の基端側にボルト２２等によって一体に取付けられたプーリ、２３は該プーリ２１に設けられた遠心ファンで、該遠心ファン２３は、ケーシング１の小径部１Ｂに取付けたファンケーシング２４内に収容されている。
【００３５】
本実施の形態によるスクロールガス圧縮機は上述したような構成を有するもので、次に、このスクロールガス圧縮機の動作について説明する。
【００３６】
まず、電動モータ（図示せず）により駆動軸３を回転させると、旋回スクロール５は駆動軸３を中心として所定寸法の旋回半径をもった旋回運動を行い、固定スクロール２のラップ部２Ｂと旋回スクロール５のラップ部６Ｂ間に画成された複数の圧縮室８が連続的に縮小する。これにより、固定スクール２の吸込口１１から吸込んだガスを該各圧縮室８で順次圧縮しつつ、この圧縮ガスを固定スクロール２の吐出口１３から外部に向けて吐出する。
【００３７】
ここで、本実施の形態では、旋回スクロール５の外周側に設けられたシール部材取付溝１５Ａ内にはシール部材１６を装着し、該シール部材１６のシールリング１７は、環状板部１７Ａの平坦面１７Ａ1をシール部材取付溝１５Ａの底面に面接触させ、環状板部１７Ｂの摺動リップ部１７Ｂ1を摺接リング２０に摺接させると共に、補助シール取付溝１７Ｄ内には補助シール１９を設ける構成としている。
【００３８】
このため、仮に圧縮室８内のガスが図２中の矢示Ｃ方向へとシールリング１７の平坦面１７Ａ1側から廻り込んだとしても、補助シール１９によりこの廻り込んだガスが外部に漏洩するのを遮断することができる。
【００３９】
また、シールリング１７は、摺動リップ部１７Ｂ1を摺接リング２０に締代をもって摺接できることにより、圧縮室８内のガスが摺動リップ部１７Ｂ1側から外部に漏洩するのを防止することができる。
【００４０】
かくして、本実施の形態では、シール部材１６によりガスの漏洩を防止でき、従来技術のように圧縮機全体を密閉容器内に収容する必要がない。このため、部品点数を削減し、製造コストを低減できると共に、各種の冷却手段を用いて圧縮機を容易に冷却することができる。
【００４１】
また、シール部材１６の環状板部１７Ａからリップ部を廃止し、シール部材取付溝１５Ａの底面に接触する環状板部１７Ａの接触面を平坦面１７Ａ1として形成したことにより、シール部材１６全体の軸方向長さを大型化することなく、摺動リップ部１７Ｂ1の摩耗代を増やすことができ、シールリング１７の耐久性、寿命等を高めることができる。
【００４２】
さらに、図２に示すように補助シール１９がシールリング１７の補助シール取付溝１７Ｄを押圧するラジアル方向（矢示Ａ方向）と摺動リップ部１７Ｂ1が固定スクロール２に設けた摺接リング２０を押圧するスラスト方向（矢示Ｂ方向）とのなす角度をほぼ９０度にしたので、補助シール１９による矢示Ａ方向に向けた押圧力が摺動リップ部１７Ｂ1による矢示Ｂ方向に向けた押圧力に加わることがなくなる。これにより、摺動リップ部１７Ｂ1が摺接リング２０を必要以上に強く押付けることがなくなり、摺動リップ部１７Ｂ1の摩耗量を減らしてシール部材１６の耐久性を高めることができる。
【００４３】
次に、図３は本発明の第２の実施の形態を示し、本実施の形態の特徴は、接触シールを構成するシールリングの外周側角隅に面取り部を設け、シール取付溝には該面取り部と対応した位置に面取り部と衝合するテーパ面部を設ける構成としたことにある。なお、本実施の形態では、第１の実施の形態と同一の構成要素に同一の符号を付し、その説明を省略するものとする。
【００４４】
３１は旋回スクロール５の外周側に固定して設けられた本実施の形態に用いるシール取付部材で、該シール取付部材３１は、第１の実施の形態で述べたシール取付部材１５とほぼ同様に形成され、シール部材取付溝３１Ａを有している。そして、シール部材取付溝３１Ａは、外側の周壁面３１Ａ1、内側の周壁面３１Ａ2および底面３１Ａ3等により構成されている。
【００４５】
しかし、このシール取付部材３１のシール部材取付溝３１Ａは、周壁面３１Ａ1と底面３１Ａ3との角隅が全周に亘ってテーパ面部３１Ｂとして斜めに傾斜して形成されている点で、第１の実施の形態のものとは異なっている。
【００４６】
３２はシール部材取付溝３１Ａ内に設けられた本実施の形態に用いるシール部材で、該シール部材３２は、第１の実施の形態で述べたシール部材１６とほぼ同様に、後述のシールリング３３およびばね部材３４により構成されている。
【００４７】
３３は本実施の形態に用いるシールリングで、該シールリング３３は、第１の実施の形態で述べたシールリング１７とほぼ同様に、平坦面３３Ａ1を有する環状板部３３Ａと、摺動リップ部３３Ｂ1を有する環状板部３３Ｂと、該環状板部３３Ａ，３３Ｂ間を連結した連結筒部３３Ｃと、該連結筒部３３Ｃの外周側に設けられた補助シール取付溝３３Ｄとによって構成されている。
【００４８】
ここで、シールリング３３には、環状板部３３Ａと連結筒部３３Ｃとの間の角隅に亘って円錐面からなるテーパ状の面取り部３３Ｅが形成されている点で、第１の実施の形態のものとは異なっている。
【００４９】
３４はシールリング３３の内周側に設けられた本実施の形態に用いるばね部材で、該ばね部材３４についても、第１の実施の形態で述べたばね部材１８とほぼ同様に、断面コ字状の金属材料を用いて形成されるものである。
【００５０】
３５はシールリング３３の補助シール取付溝３３Ｄ内に設けられた補助シールで、該補助シール３５についても、第１の実施の形態による補助シール１９とほぼ同様にＯリングを用いて形成され、シールリング３３とシール部材取付溝３１Ａとの間をシールしている。
【００５１】
かくして、このように構成される本実施の形態でも、第１の実施の形態とほぼ同様の作用効果を得ることができる。
【００５２】
特に、本実施の形態では、シール部材取付溝３１Ａの周壁面３１Ａ1と底面３１Ａ3との角隅をテーパ面部３１Ｂとして形成し、シールリング３３にはテーパ面部３１Ｂと対応した位置に面取り部３３Ｅを設ける構成としたので、シール部材３２の組付時にはシールリング３３の面取り部３３Ｅをシール取付部材３１のテーパ面部３１Ｂと衝合させて組付けることにより、シール部材３２の誤組付を防止することができる。
【００５３】
また、シールリング３３には補助シール取付溝３３Ｄを環状板部３３Ｂ側に片寄せて配置したので、シールリング３３には面取り部３３Ｅを加工するための加工代を十分に確保することができる。
【００５４】
なお、前記第１の実施の形態では、シール部材１６のシールリング１７に設けた補助シール取付溝１７Ｄを断面略コ字状に形成するものとして述べたが、本発明はこれに限ることなく、例えば図４に示す変形例のように、シール部材１６′のシールリング１７′には断面略Ｌ字状の切欠溝からなる補助シール取付溝１７Ｄ′を設ける構成としてもよい。
【００５５】
ここで、シールリング１７′は、第１の実施の形態によるシールリング１７とほぼ同様に、平坦面１７Ａ1′を有する環状板部１７Ａ′、摺動リップ部１７Ｂ1′を有する環状板部１７Ｂ′、連結筒部１７Ｃ′および補助シール取付溝１７Ｄ′により構成されている。
【００５６】
また、前記第１の実施の形態では、補助シール１９をＯリングを用いて形成した場合を例示したが、本発明はこれに限ることなく、例えば補助シールを角リングを用いて形成してもよいし、Ｘリング、Ｙリング等の各種のシール部材を用いて形成してもよい。このことは第２の実施の形態についても同様である。
【００５７】
【発明の効果】
以上詳述した通り、請求項１の発明によれば、旋回スクロールの外周側には、固定スクロールとの対向面側に開口する環状のシール部材取付溝を設け、該シール部材取付溝内には、該シール部材取付溝の底面に面接触した固定側の環状板部と、前記シール部材取付溝の開口側に設けられた摺動側の環状板部と、前記固定側の環状板部と前記摺動側の環状板部とを連結する連結筒部と、前記摺動側の環状板部の前記連結筒部よりも内径側に設けられ、前記固定スクロールと摺動する摺動リップ部と、前記連結筒部よりも外径側に環状の補助シール取付溝とを有するシール部材を設け、前記補助シール取付溝内には前記シール部材取付溝との間に締代をもって接触する補助シールを設ける構成としたので、シール部材の摺動リップ部と補助シールとにより圧縮室内の気体が外部に漏洩するのを阻止することができる。
【００５８】
このため、従来技術のように圧縮機全体を密閉容器内に収容する必要がないから、部品点数を削減し、製造コストを低減できると共に、各種の冷却手段を用いて圧縮機を容易に冷却することができる。また、補助シールによりシール部材にはシール部材取付溝に接触するリップ部を廃止でき、これによりシール部材を大型化することなく、摺動リップ部の摩耗代を増やすことができ、摺動リップ部の耐久性を高めて、その寿命を延ばすことができる。また、シール部材の全体形状を簡略化でき、シール部材の製作時の作業性を高めることができる。
【００５９】
また、請求項２の発明によれば、前記シール部材は、摺動リップ部が固定スクロールを押圧するスラスト方向と、補助シールが補助シール取付溝を押圧するラジアル方向とのなす角度がほぼ９０度となるように構成したので、補助シールが補助シール取付溝を押圧するラジアル方向の力が摺動リップ部が固定スクロールを押圧するスラスト方向の力に加わるのを防止でき、摺動リップ部が固定スクロールを押圧するスラスト方向の力が増大するのを抑えることができる。これにより摺動リップ部の摩耗量を小さく抑え、シール部材の耐久性を高めることができる。
【図面の簡単な説明】
【図１】本発明の第１の実施の形態によるスクロールガス圧縮機を示す縦断面図である。
【図２】図１中のａ部を拡大して示す要部拡大縦断面図である。
【図３】本発明の第２の実施の形態によるスクロールガス圧縮機のシール部材等を示す図２と同様の要部断面図である。
【図４】本発明の変形例によるスクロールガス圧縮機のシール部材等を示す図２と同様の要部断面図である。
【符号の説明】
１  ケーシング（固定側部材）
２  固定スクロール（固定側部材）
２Ａ，６Ａ  鏡板
２Ｂ，６Ｂ  ラップ部
３  駆動軸
５  旋回スクロール
８  圧縮室
１５，３１  シール取付部材
１５Ａ，３１Ａ  シール部材取付溝
１６，１６′，３２  シール部材
１７，１７′，３３  シールリング
１７Ｂ1，１７Ｂ1′，３３Ｂ1  摺動リップ部
１７Ｄ，１７Ｄ′，３３Ｄ  補助シール取付溝
１８，３４  ばね部材
１９，３５  補助シール
【図１】
0004758038.tif 000002
【図２】
0004758038.tif 000003
【図３】
0004758038.tif 000004
【図４】
0004758038.tif 000005